(57)【特許請求の範囲】
【請求項１】
浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置において、
前記機器本体内に加熱式の芳香発生材料が収容された収容容器を設け、
前記温水配管のうち、前記熱交換部の上流側の往き配管は、主流路と、前記主流路から分岐され且つ前記熱交換部に至る手前で前記主流路と合流するバイパス流路から構成され、
前記収容容器は前記バイパス流路に設けられ、
前記バイパス流路は、前記収容容器の上流側に設けられた第１電磁弁によって開閉可能に構成され、
前記芳香発生材料からの芳香は前記通風路に向かって発生するようにしたことを特徴とする浴室暖房装置。
【請求項２】
浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置において、
前記機器本体内に加熱式の芳香発生材料が収容された収容容器を設け、
前記収容容器は、前記温水配管のうち、前記熱交換部の上流側の往き配管に設置されると共に、
前記芳香発生材料からの芳香は前記通風路に向かって発生するようにし、
前記往き配管は、前記熱交換部に至る手前で、前記熱交換部の下流側の戻り配管に合流する分岐流路が分岐しており、
前記往き配管の前記分岐流路への分岐部よりも下流側には、前記熱交換部への流路を開閉する第２電磁弁が設けられており、
前記収容容器は前記分岐部よりも上流側に設けられていることを特徴とする浴室暖房装置。
【請求項３】
浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置において、
前記機器本体内に加熱式の芳香発生材料が収容された収容容器を設け、
前記収容容器は前記温水配管に近接させて設置されると共に、
前記芳香発生材料からの芳香は前記通風路に向かって発生するようにし、
前記収容容器は、熱伝導率の高い材質からなる容器カバー内に取り出し自在に設置され、前記容器カバーは前記温水配管に固定されていることを特徴とする浴室暖房装置。
【請求項４】
請求項１から３のいずれかに記載の浴室暖房装置において、前記容器カバーに芳香発生口を設け、前記芳香発生口は、前記通風路に連通されていることを特徴とする浴室暖房装置。
【発明の詳細な説明】
【技術分野】
【０００１】
本発明は、浴室暖房装置、特に、浴室内に設置され、吹出口から吹き出す温風により浴室を暖房する浴室暖房装置に関する。
【背景技術】
【０００２】
近年、浴室暖房装置の普及が目覚しい。浴室暖房装置の機器本体は、浴室の壁や天井に設置され、機器本体に設けられている吹出口から発生される温風によって入浴前の浴室内を予め温めておくことができるので、冬季でも寒さを感じることのない入浴が可能となる。又、乾燥機能も伴うことから、濡れた衣類等を浴室に干して乾燥させることができる。
【０００３】
これら温風暖房機能に、さらに、芳香発生機能を具備させた浴室暖房装置が、特開２０００-２０５５８６の公報（参考文献１）に開示されている。
このものでは、芳香発生機能を有する芳香発生材料として、加熱により揮発するアロマオイルが採用されてあり、アロマオイルを入れた容器を浴室暖房装置の機器本体の前記吹出口近傍に設置し、前記吹出口からの温風を容器に当てることにより前記アロマオイルを加熱し、熱によって揮発させた香りの成分を前記温風に乗せて浴室内に充満させる構成としてある。これにより、従来の暖房効果に加えて、入浴中にアロマテラピーも楽しむことができる。
【特許文献１】特開２０００-２０５５８６公報
【特許文献２】特開２００１―７４３６９公報
【発明の開示】
【発明が解決しようとする課題】
【０００４】
しかしながら、上記した従来の芳香発生機能付きの浴室暖房装置では、芳香発生材料を入れた収容容器が、機器本体の吹出口から吹出す温風に当たる構成であるため、温風が収容容器に当たる際に騒音が生じたり、前記収容容器が温風の吹出しの邪魔になって、浴室温度の立ち上がりが遅くなったりと、本来の浴室暖房機能に悪影響を及ぼす虞があった。
【０００５】
又、浴室暖房装置の前記機器本体は、浴室の壁面や天井にフラットに設置されるデザインが主流であるから、機器本体の吹出口近傍に前記収容容器を設置させると、フラットな機器本体から前記収容容器が突出する態様となり、使用者が入浴中に圧迫感を感じることとなり、デザイン的にも問題が生じていた。
【０００６】
特開２００１―７４３６９公報（参考文献２）には、芳香発生材料としての液体を貯蔵させた液体貯蔵タンクを機器本体内に内蔵させ、芳香発生材料は、前記液体貯蔵タンクから一定量ずつヒーター上に吐出させて、前記ヒーターによって加熱させて気化させる構成のものが開示されている。このものでは、機器本体内に液体貯蔵タンクを設けることによって、前記機器本体はフラットな外面形状を維持することができる。しかしながら、芳香発生材料は表面温度の高い電気ヒーターで加熱させる構成としたから、本来の芳香発生材料を気化させるに必要な加熱温度以上の温度で芳香発生材料が加熱される虞があり、目的の芳香を十分に引き出せない上に、場合によっては、ヒーター上で焦げ付いたり、嫌なにおいの成分が発生してしまったりする不都合がある。
【０００７】
本発明はかかる点に鑑みて成されたもので、『浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置』において、温風の吹出しによって騒音が発生したり、浴室の立ち上がり温度や機器本体のデザイン性に支障を来たしたりすることなく芳香発生機能を具備させると共に、芳香発生材料を芳香発生に必要な温度以上に加熱し過ぎないようにすることを課題とする。
【課題を解決するための手段】
【０００８】
［請求項１に係る発明］
上記課題を解決する為の請求項１に係る発明の技術的手段は、『前記機器本体内に加熱式の芳香発生材料が収容された収容容器を設け、
前記温水配管のうち、前記熱交換部の上流側の往き配管は、主流路と、前記主流路から分岐され且つ前記熱交換部に至る手前で前記主流路と合流するバイパス流路から構成され、
前記収容容器は前記バイパス流路に設けられ、
前記バイパス流路は、前記収容容器の上流側に設けられた第１電磁弁によって開閉可能に構成され、
前記芳香発生材料からの芳香は前記通風路に向かって発生するようにした』ことである。
上記技術的手段は次のように作用する。
暖房運転時には温水配管内に温水が流れるため、前記温水配管は温水によって温められる。前記温水配管に近接して芳香発生材料が収容された収容容器を設置することにより、温水によって温められた温水配管が加熱源となって、前記芳香発生材料が加熱され、芳香成分が揮発される。又、前記芳香発生材料からの芳香は前記通風路に向かって発生するように前記収容容器は設置されているから、通風路内に発生した前記芳香成分は吹出口から浴室内に吹出される。
【０００９】
尚、前記熱交換部の上流側に位置し且つ室外に設置されている熱源機で加熱された温水が流れる往き配管は、熱交換部よりも下流側に位置し且つ前記熱交換部で熱交換に利用された後、前記熱源機へ戻される温水が流れる戻り配管よりも高温である。この高温部分に前記収容容器を設置する構成である。
【００１０】
そして、芳香発生を伴う暖房運転を実施するには、第１電磁弁を開いて、温水を主流路とバイパス流路の両方に流し、主流路及びバイパス流路の両方から温水を前記熱交換部に送る。これにより、熱交換部を介して、通風路内の空気が温められて温風となる。このとき、バイパス流路を流れる温水によって芳香発生材料が加熱されて芳香成分が揮発され、前記吹出口から前記温風と共に浴室内に吹出す。
【００１１】
芳香発生を伴わない暖房運転を実施するには、前記第１電磁弁を閉じておき、バイパス流路に温水を流さず、主流路のみから熱交換部に温水を送るようにする。これにより、温風は吹出口から温風を浴室内に吹出させることができるが、芳香発生材料は加熱されないので、芳香成分は揮発されず、浴室に芳香が発生することはない。
【００１２】
［請求項２に係る発明］
『浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置において、
前記機器本体内に加熱式の芳香発生材料が収容された収容容器を設け、
前記収容容器は、前記温水配管のうち、前記熱交換部の上流側の往き配管に設置されると共に、
前記芳香発生材料からの芳香は前記通風路に向かって発生するようにし、
前記往き配管は、前記熱交換部に至る手前で、前記熱交換部の下流側の戻り配管に合流する分岐流路が分岐しており、
前記往き配管の前記分岐流路への分岐部よりも下流側には、前記熱交換部への流路を開閉する第２電磁弁が設けられており、
前記収容容器は前記分岐部よりも上流側に設けられている』ものでは、前記第２電磁弁を閉じておけば、往き配管を流れてきた温水は、熱交換部手前で分岐流路へ流れ込み、戻り配管に合流して、室外の熱源機へ戻される。すなわち、第２電磁弁を閉じておくことによって熱交換部を通過しない温水流路が構成される。
収容容器は前記分岐部よりも上流側に設けられているから、第２電磁弁の開閉に関係なく、温水が通過する往き配管によって加熱されて芳香発生材料の芳香成分が揮発される。
【００１３】
［請求項３に係る発明］
『浴室の壁又は天井に設置される機器本体内に、放熱用の熱交換部を備えている温水配管と、吸気口から吹出口へ空気を流す通風路が設けられ、前記吸気口から取り入れられた空気は、前記通風路を通過する間に、前記熱交換部にて加熱されて前記吹出口へ送られる形式の浴室暖房装置において、
前記機器本体内に加熱式の芳香発生材料が収容された収容容器を設け、
前記収容容器は前記温水配管に近接させて設置されると共に、
前記芳香発生材料からの芳香は前記通風路に向かって発生するようにし、
前記収容容器は、熱伝導率の高い材質からなる容器カバー内に取り出し自在に設置され、前記容器カバーは前記温水配管に固定されている』ものでは、芳香発生材料が収容されている収容容器と、前記収容容器が取り出し自在に設置される容器カバーとは独立しており、前記収容容器は容器カバーを介して、前記温水配管に固定されている。容器カバーは熱伝導率の高い材質から構成されているから、温水配管内の温水によって、容器カバーが加熱され、容器カバー内の雰囲気温度が上昇することによって、収容容器内の芳香発生材料が加熱されて揮発する。又、収容容器は容器カバーから取り出し自在であるから、芳香発生材料の補充又は交換の際には、収容容器を取り出して補充又は交換が可能である。
【００１４】
［請求項４に係る発明］
請求項１から３のいずれかに記載の浴室暖房装置において、『前記容器カバーに芳香発生口を設け、前記芳香発生口は、前記通風路に連通されている』ものでは、容器カバー内の雰囲気温度の上昇によって、芳香発生材料から発生した芳香は、容器カバーに設けた芳香発生口から通風路へ流れ出て、吹出口から浴室内に吹出される。
【発明の効果】
【００１５】
本発明は次の特有の効果を有する。
請求項１に係る発明では、前記芳香発生材料からの芳香を前記通風路に向かって発生するようにしておけば、収容容器を前記通風路内に設置しない構成とすることが可能である。このように、収容容器を、温風の吹出しを遮らない位置に設置しておくことにより、温風発生時に温風が収容容器に当たって騒音が発生したり、浴室の立ち上がり温度に影響を及ぼしたりする不都合を防止することができる。又、収容容器は浴室暖房装置の機器本体内に設ける構成としたから、浴室内の天井や壁面に設置されている機器本体のフロントパネルのデザインをフラットにすることができ、デザイン性も向上する。
【００１６】
芳香発生材料を加熱する熱源として、温水配管を用いているから、芳香発生材料加熱用の加熱部を別途設ける必要がなく、無駄なエネルギー消費を抑えることができる。又、前記温水は一定温度に制御可能であるから、芳香発生材料を常に一定温度で加熱し続けることができる。よって、芳香発生材料が必要以上に加熱されることにより焦げ付いて嫌なにおいの成分を発生させてしまう不都合はなく、安定した温度で揮発させた芳香成分を、前記吹出口から、温風と共に浴室内に吹出させることができる。
【００１７】
また、戻り配管よりも温度が高い往き配管に、前記収容容器を設ける構成としたから、前記収容容器内の芳香発生材料を十分に加熱して芳香成分を揮発させることができる。尚、浴室暖房装置の場合、往き配管内の温水の温度は、一般に８０度に維持されており、この温度は、芳香発生材料を揮発させる加熱温度に適している。
【００１８】
さらに、第１電磁弁を開閉切替えることによって、芳香発生材料を加熱させるか否かを選択できるようにしたから、衣類乾燥運転時等のように、浴室内に芳香を発生させたくない場合、不必要な芳香発生を防止して、芳香発生材料の無駄な消費を防止することができる上に、乾燥させる衣類等に芳香が付着するのを防止することができる。又、入浴前の暖房運転時でもそのときの気分で芳香を発生させないように設定できるから、浴室暖房装置の使い勝手が向上する。
【００１９】
請求項２に係る発明では、上記効果に加えて、第２電磁弁を閉じておくことによって、通風路内の空気を加熱させずに、芳香発生材料のみを加熱できるようにしたから、例えば、夏場等において、温風の発生（暖房）なしで、芳香のみを浴室内に発生させてアロマテラピーを楽しむことが可能となる。
【００２０】
請求項３に係る発明では、上記効果に加えて、さらに、前記収容容器は容器カバーに取り出し自在に収容される構成としたから、芳香発生材料が消耗した場合、又は、他の芳香発生材料に変更したい場合、使用者が、機器本体のフロントパネルの一部又は全部を開けて、容器カバーから収容容器を取り出して、容易に芳香発生材料の補充又は交換をすることができる。
【００２１】
請求項４に係る発明では、上記請求項１から３に係る発明の効果に加えて、収容容器から容器カバー内へ発生した芳香成分を、芳香発生口から通風路を経て、吹出口から、温風又は送風と共に浴室内に送り出すことができるから、芳香成分を浴室に送るためのファンを別途必要としない。
【発明を実施するための最良の形態】
【００２２】
以下に、本発明を実施するための最良の形態について添付図面を参照しながら説明する。
第１実施形態のものは、天井設置型の浴室暖房機を採用したものであり、図１は、機器本体(20)のフロントパネルを外した状態の内部構造の概略図である。
機器本体(20)には、屋外等に設置したガス給湯器や電気温水器等からなる熱源機(3)から導出された温水を機器本体(20)内へ送り込む往き配管(21)と、機器本体(20)へ送られた温水を熱源機(3)へ戻す戻り配管(22)からなる循環加熱流路(2)が接続されている。熱源機(3)によって、一定温度（約８０℃）に加熱された温水が一定流量で往き配管(21)に供給される。
【００２３】
機器本体(20)には、熱交換部として、放熱フィンを備えた熱交換器(30)が設けられていると共に、循環ファン(32)が搭載されてあり、循環ファン(32)の作動によって、吸込口（図示せず）から機器本体(20)内に取り入れられた浴室内の空気を、熱交換器(30)によって加熱した後、温風として、吹出口(33)から浴室へ吹出させる通風路が形成される。
【００２４】
熱交換器(30)には、熱源機(3)からの往き配管(21)が熱動弁(31)を介在させて接続されており、熱動弁(31)の開弁によって熱源機(3)から約８０℃に設定された温水が往き配管(21)に供給される。
【００２５】
往き配管(21)には、主流路(21a)からバイパス流路(23)が分岐しており、バイパス流路(23)の上流端には、第１電磁弁(41)が設けられている。
バイパス流路(23)は、熱交換器(30)に到達する手前で、前記主流路(21a)に合流していると共に、その合流部(4)より下流側にて、さらに、分岐流路(24)を分岐させている。
【００２６】
分岐流路(24)は、戻り配管(22)に連通されていると共に、分岐流路(24)の分岐部(40)より下流側の往き配管(21)には、第２電磁弁(42)が配設されていると共に、分岐部(40)より下流側の分岐流路(23)には、第３電磁弁(43)が配設されている。
【００２７】
そして、前記バイパス流路(23)に、図２、図３に示すような、芳香発生材料(12)入りの収容容器(10)を取り出し自在に設置可能な容器カバー(1)を装着する。
本発明実施の形態で採用する芳香発生材料(12)は、加熱により芳香成分が空気中に揮発される性質のもの、例えば、アロマオイル等が採用可能であり、収容容器(10)は上方開放の容器とする。
【００２８】
容器カバー(1)は、例えば、銅のような熱伝導率の高い材質から構成された下方開放の箱体とし、下方開放部には蓋(11)が開放自在に軸支されている。前記箱体の正面(18)の下端部近傍には突起部(14)が突設されてあり、蓋(11)には、前記突起部(14)に係止する方向に付勢する板バネからなる係止片(15)が溶接等により固着されている。
【００２９】
又、前記正面(18)の上端部近傍からは、芳香発生口(13)が前記吹出口(33)に向かって開放するように設けられている。
そして、容器カバー(1)は、同じく熱伝導率の高い材質からなる固定金具(16)等で、往き配管(21)のバイパス流路(23)に固定されている。
【００３０】
芳香発生材料(12)を充填させた収容容器(10)は、容器カバー(1)の両側面(17)(17)の内面相互間に略密嵌状態に収容される横幅(W)を有する縦長直方体状の上方開放の容器とし、容器カバー(1)への収容状態においては、蓋(11)を開放させても収容容器(10)が落下することなく、収容容器(10)と容器カバー(1)との隙間(S)（図３参照）に指を入れて下方へ引っ張れば、容易に収容容器(10)を容器カバー(1)から引き出すことができる。
【００３１】
バイパス流路(23)に８０度に設定された温水が流れると、その熱で容器カバー(1)が加熱され、容器カバー(1)全体が温められる。これにより、容器カバー(1)内の雰囲気温度も約８０度近くまで上昇し、それに伴って、収容容器(10)内の芳香発生材料(12)が加熱され、芳香成分が揮発される。尚、この温水温度は、芳香発生材料(12)を揮発させるのに適する温度であり、これより高温にも低温にもならないことから、高温になりすぎて芳香発生材料(12)が焦げ付いたり、低温加熱により芳香発生材料(12)が十分揮発されなかったりする不都合はない。
【００３２】
揮発された芳香成分は、図３の矢印に示すように、収容容器(10)の上方開放部から放出されて、容器カバー(1)内に充満し、芳香発生口(13)から外部へ漏れ出て行く。芳香発生口(13)は、機器本体(20)の吹出口(33)に向かって開放しているから、前記芳香成分は、循環ファン(32)の作用によって吹出口(33)から浴室内に送り出される。
【００３３】
この実施の形態の浴室暖房装置にて、第１、第２、第３電磁弁(41)(42)(43)は閉弁状態に初期設定されており、これらの開閉により、芳香運転を伴う浴室暖房運転、芳香運転を伴わない浴室暖房運転（乾燥運転）、さらに、浴室暖房を伴わない芳香運転と、３つのパターンに使用可能である。
【００３４】
まず、芳香発生を伴う浴室暖房運転についての動作フローを、図４に示すフローチャートと図１を基に説明する。
リモコン（図示せず）で浴室暖房運転と芳香発生運転が同時に選択されると（Ｓ１）、制御盤（図示せず）からの指令によって、熱動弁(31)が開弁されると同時に、第１、第２電磁弁(41)(42)が開弁し、外部熱源機(3)に作動信号が出力される（Ｓ２）。そして、引き続き、循環ファン(32)が始動する（Ｓ３）。尚、第３電磁弁(43)は閉弁状態に維持されている。
【００３５】
熱動弁(31)の開弁によって、熱源機(3)から８０度に設定された温水が、往き配管(21)及び戻り配管(22)を介して熱交換器(30)に循環供給され、上記循環ファン(32)の作動によって吸込口から機器本体(20)内に吸い込まれた浴室内の空気が、熱交換器(30)にて熱交換されて温風となって、吹出口(33)から浴室内に吹き出されて浴室暖房が行われる。
【００３６】
熱源機(3)で加熱された前記８０度の温水は往き配管(21)を流れていく途中、第１電磁弁(41)が開弁状態にあることから、主流路(21a)とバイパス流路(23)とに分流し、それらが、合流部(4)で合流した後、開弁状態にある第２電磁弁(42)を通過して、熱交換器(30)に送られる。このとき、第３電磁弁(43)は閉弁されているから、分岐流路(24)に温水は流れることなく、主流路(2a)及びバイパス流路(23)を通って合流部(4)で合流した温水は無駄なく、熱交換器(30)に送ることができる。
【００３７】
このように、温水はバイパス流路(23)に流れることにより、バイパス流路(23)を構成している配管が加熱され、バイパス流路(23)に固定されている容器カバー(1)が加熱される。容器カバー(1)は熱伝導率の高い材質から構成されているから、容器カバー(1)が加熱されることにより内部の雰囲気温度が上昇し、これに伴って収容容器(10)内の芳香発生材料(12)が加熱される。
【００３８】
芳香発生材料(12)は、加熱されることにより、芳香成分が揮発され、芳香発生口(13)から容器カバー(1)の外部へ放出される。芳香発生口(13)は、上述したように、吹出口(33)に向かって開放するように設置させて、芳香発生口(13)から放出される芳香は、熱交換器(30)にて加熱された温風と共に、吹出口(33)から浴室内に吹き出されるようにしたから、芳香を吹出口(33)から吹出させるためのファンを別途設ける必要がない。
【００３９】
これにより、浴室内は、吹出口(33)からの温風によって温められると同時に、浴室内に発生させた芳香によってアロマテラピーも楽しむことができる。
その後、暖房運転がＯＦＦになると（Ｓ４）、熱動弁(31)及び第１、第２電磁弁(41)(42)が閉弁し、熱源機(3)への作動信号の出力が停止され、さらに、循環ファン(32)が停止する（Ｓ５）。
【００４０】
次に、例えば、衣類乾燥運転時のような、芳香発生を伴わない浴室暖房運転についての動作フローを、図５に示すフローチャートと図１とに従って説明する。
暖房運転のみが選択されると（Ｓ１）、熱動弁(31)が開弁されると同時に、第２電磁弁(42)が開弁し、熱源機(3)に作動信号が出力される（Ｓ２）。そして、引き続き、循環ファン(32)が始動する（Ｓ３）。尚、第１、第３電磁弁(41)(43)は閉弁状態に維持されている。
【００４１】
このものでは、熱動弁(31)の開弁によって、熱源機(3)によって８０度に設定された温水が往き配管(21)を熱交換器(30)に向かって流れるが、第１電磁弁(41)は閉弁状態にあることから、往き配管(21)を流れてきた温水はバイパス流路(23)には流れることなく、主流路(21a)のみを通って、第２電磁弁(42)を通過した後、熱交換器(30)へ送られていく。
【００４２】
熱交換器(30)に温水が供給されることにより、機器本体(20)内の空気が加熱されて温風となり、循環ファン(32)の作動によって、吹出口(33)から温風を浴室に吹き出させて浴室暖房を行うことができるが、前記温水は、バイパス流路(23)を通過しないことから容器カバー(1)は加熱されない。よって、容器カバー(1)内に収容されている収容容器(10)内の芳香発生材料(12)も加熱されることがないので、芳香発生材料(12)は揮発されず、芳香は発生しない。
【００４３】
このように、暖房運転のみをＯＮとすることにより、浴室暖房は実施されるが、芳香は発生させない運転が実現する。これは、浴室内で衣類を乾燥させる場合に、衣類に芳香が付着する不都合を防止できると共に、不必要な芳香発生材料(12)の消耗を防止することが可能となる。
【００４４】
その後、暖房運転がＯＦＦになる（Ｓ４）ことにより、熱動弁(31)と第２電磁弁(42)が閉弁し、熱源機(3)への作動信号の出力が停止され、さらに、循環ファン(32)が停止して（Ｓ５）、暖房運転が終了する。
【００４５】
最後に、例えば、夏場等で浴室は暖房したくないが、芳香は発生させたい場合、すなわち、暖房運転を伴わない芳香運転についての動作フローを、図６に示すフローチャートと図１とに従って説明する。
【００４６】
芳香運転のみが選択されると（Ｓ１）、熱動弁(31)が開弁すると同時に、第１、第３電磁弁(41)(43)が開弁し、熱源機(3)に作動信号が出力され（Ｓ２）、続いて、Ｓ３のステップにて、循環ファン(32)が始動する。尚、第２電磁弁(42)は閉弁状態に維持されている。
【００４７】
熱源機(3)で加熱された前記８０度の温水は往き配管(21)を流れ、主流路(21a)と、開弁状態にある第１電磁弁(41)を介して、バイパス流路(23)にも流れる。これにより、容器カバー(1)を介して、芳香発生材料(12)が適度に加熱され、芳香発生材料(12)から芳香成分が発生する。
【００４８】
主流路(21a)とバイパス流路(23)を流れる温水は、合流部(4)で合流した後、開弁状態にある第３電磁弁(43)を通過して、戻り配管(22)へ送られる。このとき、第２電磁弁(42)は閉弁されているから、前記温水は熱交換器(30)には至らない。すなわち、機器本体(20)内の空気は熱交換器(30)によって加熱されないから、温風が形成されることはない。よって、循環ファン(32)の作動によって、吹出口(33)から、芳香発生材料(12)からの芳香と共に、浴室内に送風が吹き出される。
これにより、浴室内は温められることなく、アロマテラピーのみを楽しむことができる。
【００４９】
その後、芳香運転がＯＦＦになると（Ｓ４）、熱動弁(31)及び第１、第３電磁弁(41)(43)が閉弁し、熱源機(3)への作動信号の出力が停止され、さらに、循環ファン(32)が停止して（Ｓ５）、芳香運転が終了する。
【００５０】
芳香発生材料(12)が消耗すると、フロントパネルの一部（図示せず）を開放させ、容器カバー(1)の蓋(11)に設けた係止片(15)を下方へ引いて、芳香発生材料(12)の突起部(14)への係合を解除する。これにより、蓋(11)は開放し、容器カバー(1)は下方開放状態となる。芳香発生材料(12)を収容している収容容器(10)は、上述したように、横幅(W)が、容器カバー(1)の側面(17)(17)に対して密に収容されているから、蓋(11)を開放させても収容容器(10)が落下することはない。そして、収容容器(10)と蓋(11)の内面との隙間(S)に指を差し込んで、収容容器(10)を引き下ろせば、収容容器(10)は容易に容器カバー(1)から取り出すことができる。
【００５１】
そして、収容容器(10)に芳香発生材料(12)を補充して、再度、容器カバー(1)内に戻し、蓋(11)を閉塞させれば、係止片(15)はその付勢力によって(14)にワンウェイ係合し、蓋(11)は閉塞状態に維持される。このように、収容容器(10)を容器カバー(1)から取り出して、芳香発生材料(12)の補充又は交換を容易に行うことができる。
【００５２】
上記各実施の形態の浴室暖房機は、浴室の天井に設置するタイプのものとしたが、壁面設置型の浴室暖房機にも採用可能である。又、各種運転のＯＮ、ＯＦＦはタイマー設定可能であることは言うまでもない。
【００５３】
さらに、機器本体(20)内にミスト発生装置を搭載したものでは、芳香発生と同時に、ミスト噴霧部から高温ミストを浴室内に噴霧させることにより、浴室内を、アロマテラピーを伴うミストサウナ室として利用することができる。
尚、容器カバー(1)の蓋(11)は、開閉自在であれば、容器カバー(1)への取付方法は種々採用可能であり、芳香発生材料(12)への固定方法もなんら限定されるものではない。
【図面の簡単な説明】
【００５４】
【図１】本発明の実施形態における浴室暖房装置のフロントパネルを外した状態の概略説明図。
【図２】本発明の実施形態における浴室暖房装置に搭載させる芳香発生材料の説明図。
【図３】本発明の実施形態における浴室暖房装置に搭載させる芳香発生材料と配管の断面図。
【図４】本発明の実施形態における浴室暖房装置の第１の動作を表すフローチャート。
【図５】本発明の実施形態における浴室暖房装置の第２の動作を表すフローチャート。
【図６】本発明の実施形態における浴室暖房装置の第３の動作を表すフローチャート。
【符号の説明】
【００５５】
(12)・・・・・芳香発生材料
(2) ・・・・・循環加熱流路
(20)・・・・・機器本体
(21)(22)・・・温水配管（往き配管・戻り配管）
(33)・・・・・吹出口
【図１】
0005124234.tif 000002
【図２】
0005124234.tif 000003
【図３】
0005124234.tif 000004
【図４】
0005124234.tif 000005
【図５】
0005124234.tif 000006
【図６】
0005124234.tif 000007